(57)【特許請求の範囲】
【請求項１】
筐体と、
前記筐体と一体に成形されている第１の固定接点及び第２の固定接点であって、前記筐体の一側面に離間して配設された第１の固定接点および第２の固定接点と、
前記筐体の他側面から一部が突出する作動子と、
前記筐体内に配設され、前記作動子の作動により変形して前記第１の固定接点と前記第２の固定接点との間を電気的に接続する可動接点と、
前記筐体を接地金板に螺子止めするための貫通孔と、を具備し、
前記第１の固定接点には、前記筐体に設けた接地用金具と配線接続部が、その第１の固定接点から二股状に分岐した形態で連設され、
前記接地用金具および前記配線接続部は、前記第１の固定接点に対して電気的に接続され、
前記接地用金具は、前記貫通孔を用いて、前記筐体を前記接地金板に螺子止めした際に、前記第１の固定接点を前記接地金板に電気的に接続する手段として用いられること
を特徴とする接地付きスイッチ。
【請求項２】
前記作動子は、
外力の負荷及び解放によって、前記筐体の上部から下部に伸びる軸を回動中心として回動し、
前記可動接点は、
一端の支持部と円弧部と他端の接点からなるＵ形ばね片を２枚重合した状態で、内側Ｕ形ばね片と外側Ｕ形ばね片が支持部の先端で連続しており、内側Ｕ形ばね片の接点を外側Ｕ形ばね片の接点の前方にずらして、前記外側Ｕ形ばね片の接点が前記第１の固定接点に接触し、前記内側Ｕ形ばね片の接点が前記第２の固定接点から離間するように設けられ、前記作動子の回動により前記内側Ｕ形ばね片の接点を前記第２の固定接点に接触させることにより、前記第１の固定接点と前記第２の固定接点との間を電気的に接続する
ことを特徴とする請求項１に記載の接地付きスイッチ。
【請求項３】
前記接地用金具は、
前記貫通孔周縁に該筐体から露出するように前記筐体の上部に埋め込んだ状態で、該貫通孔を用いて該筐体を前記接地金板に螺子止めされており、前記第１の固定接点を該螺子を介して前記接地金板に電気的に接続することを特徴とする請求項１または２に記載の接地付きスイッチ。
【請求項４】
前記接地用金具は、
前記螺子の頭部の下面に対応する位置に少なくとも２つの突起部を有する
ことを特徴とする請求項３に記載の接地付きスイッチ。
【発明の詳細な説明】
【技術分野】
【０００１】
本発明は、作動子の作動により動作するスイッチに関し、詳しくは、スイッチ筐体を接地金板に螺子止めするだけで接地接続を省略できるようにした接地付きスイッチに関する。
【背景技術】
【０００２】
この種のスイッチとしては、従来、特許文献１に記載されたプッシュレバースイッチが知られている。この、プッシュレバースイッチは、２つの固定接点と、プッシュレバーの作動により変形して上記２つの固定接点との間を電気的に接続する接点ばね片ユニットを備えて構成される。
【０００３】
このプッシュレバースイッチの利用形態の１つとして、上記２つの固定接点のうちの一方を接地し、他方を制御対象機器の制御部に接続して、他方の接点側をプルアップすることにより、プッシュレバーの非作動時にはハイレベルの信号を上記制御部に加え、プッシュレバーの作動時には、ローレベル（接地レベル）の信号を上記制御部に加えるようにして用いられる。
【先行技術文献】
【特許文献】
【０００４】
【特許文献１】特開２００４−６３４５０号公報
【発明の概要】
【発明が解決しようとする課題】
【０００５】
しかしながら、上記特許文献１に記載されたプッシュレバースイッチにおいては、上記２つの固定接点のうちの一方の固定接点を接地部に接続するための第１の配線と、上記２つの固定接点のうちの他方の固定接点を制御対象機器の制御部に接続するための第２の配線との２つの配線があり、このために部品点数が増加するとともに、その実装工程が増加するという問題があった。
【０００６】
本発明は、スイッチ筐体を接地金板に螺子止めするだけで接地接続を省略できるようにした接地付きスイッチを提供することを目的とする。
【課題を解決するための手段】
【０００７】
上記目的を達成するために、請求項１の発明の接地付きスイッチは、筐体と、前記筐体と一体に成形されている第１の固定接点及び第２の固定接点であって、前記筐体の一側面に離間して配設された第１の固定接点および第２の固定接点と、前記筐体の他側面から一部が突出する作動子と、前記筐体内に配設され、前記作動子の作動により変形して前記第１の固定接点と前記第２の固定接点との間を電気的に接続する可動接点と、前記筐体を接地金板に螺子止めするための貫通孔と、を具備し、前記第１の固定接点には、前記筐体に設けた接地用金具と配線接続部が、その第１の固定接点から二股状に分岐した形態で連設され、前記接地用金具および前記配線接続部は、前記第１の固定接点に対して電気的に接続され、前記接地用金具は、前記貫通孔を用いて、前記筐体を前記接地金板に螺子止めした際に、前記第１の固定接点を前記接地金板に電気的に接続する手段として用いられることを特徴とする接地付きスイッチ。
【０００８】
請求項２の発明は、請求項１の発明において、前記作動子は、外力の負荷及び解放によって、前記筐体の上部から下部に伸びる軸を回動中心として回動し、前記可動接点は、一端の支持部と円弧部と他端の接点からなるＵ形ばね片を２枚重合した状態で、内側Ｕ形ばね片と外側Ｕ形ばね片が支持部の先端で連続しており、内側Ｕ形ばね片の接点を外側Ｕ形ばね片の接点の前方にずらして、前記外側Ｕ形ばね片の接点が前記第１の固定接点に接触し、前記内側Ｕ形ばね片の接点が前記第２の固定接点から離間するように設けられ、前記作動子の回動により前記内側Ｕ形ばね片の接点を前記第２の固定接点に接触させることにより、前記第１の固定接点と前記第２の固定接点との間を電気的に接続することを特徴とする。
【０００９】
請求項３の発明は、請求項１または２の発明において、前記接地用金具は、前記貫通孔周縁に該筐体から露出するように前記筐体の上部に埋め込んだ状態で、該貫通孔を用いて該筐体を前記接地金板に螺子止めされており、前記第１の固定接点を該螺子を介して前記接地金板に電気的に接続することを特徴とする請求項１または２に記載の接地付きスイッチ。
【００１０】
請求項４の発明は、請求項３の発明において、前記接地用金具は、前記螺子の頭部の下面に対応する位置に少なくとも２つの突起部を有することを特徴とする。
【発明の効果】
【００１１】
本発明によれば、スイッチ筐体を接地金板に螺子止めするだけで、第１の固定接点を接地接続することができるので、第１の固定接点を接地部に接続するための配線およびその接続工程を省略することができるので、スイッチ実装工程に際しての部品点数を減少させることができるとともに、実装工程の簡略化を図ることができる。
【図面の簡単な説明】
【００１２】
【図１】図１は、本発明に係わる接地付きスイッチの一実施例の一部断面側面図である。
【図２】図２は、図１に示した接地付きスイッチの一部断面上面図である。
【図３】図３は、図１に示した接地付きスイッチの製造過程で用いるプレス製品の一例を示す図である。
【図４】図４は、図１に示した接地付きスイッチの等価回路図である。
【発明を実施するための形態】
【００１３】
以下、本発明の一実施例を添付図面を参照して詳細に説明する。
【００１４】
図１は、本発明に係わる接地付きスイッチの一実施例の一部断面側面図、図２は、図１に示した接地付きスイッチの一部断面上面図、図３は、図１に示した接地付きスイッチの製造過程で用いるプレス製品の一例を示す図である。
【００１５】
図１および図２において、この実施例の接地付きスイッチは、筐体１０と、筐体１０の一側面に離間して配設された第１の固定接点１１および第２の固定接点１２と、筐体１０の他側面から一部が突出するように配設された作動子である作動部１３と、筐体１０内に配設され、作動部１３の作動により変形して第１の固定接点１１と第２の固定接点１２との間を電気的に接続する可動接点である外側Ｕ形ばね片１４ａおよび内側Ｕ形ばね片１４ｂと、筐体１０を接地金板１５に螺子止めするための貫通孔１６と、第１の固定接点１１に連設され、貫通孔１６を用いて、筐体１０を接地金板１５に螺子１８により螺子止めした際に、第１の固定接点１１を接地金板１５に電気的に接続するために用いる接地用金具１７と、を具備して構成される。
【００１６】
ここで、第１の固定接点１１、第２の固定接点１２、作動部１３、外側Ｕ形ばね片１４ａ、内側Ｕ形ばね片１４ｂは、この接地付きスイッチのスイッチ機能部を構成する。
【００１７】
また、接地用金具１７の上面には、接地用金具１７と螺子１８との電気的接続を確実にするための、螺子１８の頭部１８ａの下面１８ｂに対応する位置に設けられたの突起部１７ａ、１７ｂが設けられている。
【００１８】
なお、１５ａは、螺子１８を接地金板１５に螺子込むための螺子溝が切られた螺子孔であり、１５ｂは、筐体１０の下面に設けられた、位置決め用突起１０ｂが挿入される位置決め孔であり、１９は、螺子１８を接地金板１５に螺子込むときに用いる座金である。
【００１９】
第１の固定接点１１および第２の固定接点１２および接地用金具１７は、図３に示すプレス製品３０から製造される。そして、このプレス製品３０を用いて、インサート成形によりこの実施例の接地付きスイッチが製造される。なお、図３において、３０−１、３０−２、３０−３は、上記インサート成形後の切離し部を示す。
【００２０】
外側Ｕ形ばね片１４ａおよび内側Ｕ形ばね片１４ｂは、それぞれの一端が支持部１４ｃで連続した２枚重合状態で配設され、また、内側Ｕ形ばね片１４ｂの先端の接点１４ｂｐは外側Ｕ形ばね片１４ａの先端の接点１４ａｐの前方にずらし、外側Ｕ形ばね片１４ａの接点１４ａｐは第１の固定接点１１に接触し、内側Ｕ形ばね片１４ｂの接点１４ｂｐは第２の固定接点１２から離間するように配設されている。
【００２１】
作動部１３は、軸１３ａに回動自在に支持されており、作動部１３の作用面１３ｂに外力が加わっていない場合は、外側Ｕ形ばね片１４ａの弾性力により作動部１３には矢印Ｘ方向の力が加わり、突起部下面１３ｃが筐体１０の段部１０ａに当接して、図２に示す状態になっている。
【００２２】
作動部１３の作用面１３ｂに外力が加わると、作動部１３は、外側Ｕ形ばね片１４ａの弾性力に抗して軸１３ａを中心にして矢印Ｙ方向に回動し、内側Ｕ形ばね片１４ｂの接点１４ｂｐは第２の固定接点１２に接触する。ここで、外側Ｕ形ばね片１４ａの接点１４ａｐと第１の固定接点１１との接触状態は、外側Ｕ形ばね片１４ａの弾性力により維持されるので、第１の固定接点１１と第２の固定接点１２とは、外側Ｕ形ばね片１４ａ、内側Ｕ形ばね片１４ｂを介して電気的に接続される。
【００２３】
作動部１３の作用面１３ｂに加わっていた外力が解放されると、作動部１３は、外側Ｕ形ばね片１４ａおよびの内側Ｕ形ばね片１４ｂ弾性力により軸１３ａを中心にして矢印Ｘ方向に回動し、図２に示す突起部下面１３ｃが筐体１０の段部１０ａに当接した初期状態に戻る。
【００２４】
さて、この実施例の接地付きスイッチにおいては、筐体１０の下面に設けられた位置決め用突起１０ｂを接地金板１５に設けられた位置決め孔１５ｂに挿入し、筐体１０の貫通孔１６に螺子１８を挿入して、螺子１８を接地金板１５に設けられた螺子孔１５ａに螺子込むことにより、この接地付きスイッチを接地金板１５に取り付ける。
【００２５】
ここで、接地用金具１７の上面に設けられた突起部１７ａ、１７ｂの存在により、接地用金具１７と螺子１８の頭部１８ａの下面１８ｂとは、座金１９を介して、電気的に、確実に接続することができる。
【００２６】
すなわち、接地用金具１７の上面に設けられた突起部１７ａ、１７ｂは、図３に示すプレス製品３０で形成されるので、螺子１８を締め付けることにより、突起部１７ａ、１７ｂを螺子１８の頭部１８ａの下面１８ｂに挿入された座金１９とを密着させることができ、これにより、接地用金具１７と螺子１８との電気的接続を確実にすることができる。
【００２７】
ここで、接地用金具１７は、第１の固定接点１１と電気的に接続されているので、この状態で、第１の固定接点１１は、接地用金具１７、座金１９、螺子１８の頭部１８ａの下面１８ｂ、螺子１８、螺子孔１５ａを介して接地金板１５に電気的に接続される。
【００２８】
このような構成により、この実施例の接地付きスイッチによれば、筐体１０を螺子１８により接地金板１５に螺子１８で取り付けるだけで、第１の固定接点１１を接地金板１５に接地接続することができ、これにより、第１の固定接点１１を接地部に接続するめの配線が不要になり、またその接続工程も省略することができるので、スイッチ実装工程に際しての部品点数を減少させることができるとともに、実装工程の簡略化を図ることができる。
【００２９】
図４は、図１、図２に示した接地付きスイッチの等価回路図である。図４において、端子Ａは、図１、図２に示す第１の固定接点１１の配線接続部１１ａに対応し、端子Ｂは、図１、図２に示す第２の固定接点１２の配線接続部１２ａに対応し、端子Ｃは、図１、図２に示す接地用金具１７に対応し、スイッチ４０は、図２に示す上記スイッチ機能部により実現される。
【００３０】
この接地付きスイッチは、例えば、車載のＣＤプレイヤーにおけるＣＤの挿入、取り出しの検出に用いることができる。この場合、図４に示す端子Ｂは、このＣＤプレイヤーの図示しない制御部に接続され、端子Ｂは、この制御部内において正の電圧または負の電圧でプルアップされる。
【００３１】
さて、このＣＤプレイヤーにＣＤが挿入されていない状態においては、スイッチ４０は、オフになっており、ＣＤプレイヤーの制御部には、ＣＤが挿入されていないことを示すハイレベルの信号が端子Ｂから入力される。
【００３２】
この状態において、このＣＤプレイヤーにＣＤが挿入されると、作動部１３の作用面１３ｂに加わる外力により、作動部１３が図２に示す矢印Ｙ方向に回動し、これによりスイッチ４０がオンになり、ＣＤプレイヤーの制御部には、端子ＢからＣＤが挿入されたことを示す接地レベルの信号が入力される。
【００３３】
その後、このＣＤプレイヤーからＣＤが取り出されると、作動部１３の作用面１３ｂに加わっていた外力が解放され、スイッチ４０は、オフになる。この状態では、ＣＤプレイヤーの制御部には、ＣＤが挿入されていないことを示すハイレベルの信号が端子Ｂから入力される。
【００３４】
なお、上記実施例では、作動部１３の作用面１３ｂに加わる外力により、作動部１３が回動してオン、オフするレバー型のスイッチ機能部を用いる構成を示したが、この構成に限らず、プッシュ型のスイッチ機能部を用いる構成を用いても同様に構成することができる。
【００３５】
また、この実施例においては、接地用金具１７の上面には、２つの突起部１７ａ、１７ｂを設ける構成を示したが、２つの突起部１７ａ、１７ｂに代えて３つ以上の突起部を設けてもよい。
【００３６】
また、このこの実施例においては、筐体１０の下面に位置決め用突起１０ｂを設けることにより、１本の螺子１６でこの接地付きスイッチの筐体１０を接地金板１５に取り付けるように構成したが、この接地付きスイッチの筐体１０を複数の螺子等を用いて取り付けるように構成してもよい。この場合は、複数の螺子等のうちの少なくとも１つに、第１の固定接点１１を接地金板１５に電気的に接続させる機能を持たせればよい。
【００３７】
なお、固定接点１１の配線接続部１１ａは、この接地付きスイッチを接地されていない金板もしくは絶縁体に接続するような場合に用いるもので、この接地付きスイッチを、接地金板１５に取り付ける利用形態で使用する場合は、この固定接点１１の配線接続部１１ａを設けなくてもよい。
【００３８】
また、この発明に係る接地付きスイッチの利用形態は、車載のＣＤプレイヤーにおけるＣＤの挿入、取り出しの検出に限定されるものではない。
【００３９】
本発明は、以上説明した実施形態に限定されるものではなく、本発明の技術的思想内で当分野において通常の知識を有する者により多くの変形が可能である。
【符号の説明】
【００４０】
１０    筐体
１０ａ    段部
１０ｂ    位置決め用突起
１１    第１の固定接点
１１ａ    配線接続部
１２    第２の固定接点
１２ａ    配線接続部
１３    作動部
１３ａ    軸
１３ｂ    作用面
１３ｃ    突起部下面
１４ａ    外側Ｕ形ばね片
１４ａｐ    接点
１４ｂ    内側Ｕ形ばね片
１４ｂｐ    接点
１４ｃ    支持部
１５    接地金板
１５ａ    螺子孔
１５ｂ    位置決め孔
１６    貫通孔
１７    接地用金具
１７ａ  突起部
１７ｂ  突起部
１８    螺子
１８ａ    頭部
１８ｂ    下面
１９    座金
【図１】
0005825850.tif 000002
【図２】
0005825850.tif 000003
【図３】
0005825850.tif 000004
【図４】
0005825850.tif 000005